(57)【特許請求の範囲】
【請求項１】
建物の躯体に配置された下横枠と、
前記下横枠の左端の上に重ねて配置された左縦枠と、
前記下横枠の右端の上に重ねて配置された右縦枠と、
前記左縦枠と前記右縦枠の上端の上に重ねて配置された上横枠と、
前記下横枠、前記左縦枠、前記右縦枠及び前記上横枠によって構成される窓枠内に嵌め込まれた採光材と、
建物の躯体と前記左縦枠及び前記右縦枠との間をシールする縦枠シール材と、を有し、
前記下横枠、前記左縦枠、前記右縦枠及び前記上横枠は、全て建物の躯体の一方の側に配置されていることを特徴とする採光窓枠構造。
【請求項２】
外壁材と前記上横枠との間をシールする横枠シール材を有している請求項１に記載の採光窓枠構造。
【請求項３】
前記横枠シール材が、前記上横枠の左端及び右端それぞれに配置されている請求項２に記載の採光窓枠構造。
【請求項４】
前記縦枠シール材が、前記左縦枠及び前記右縦枠それぞれの長手方向の全体に亘って配置されている請求項２又は３に記載の採光窓枠構造。
【請求項５】
建物の躯体に配置されて前記採光材を支持する支持部を有している請求項１から４の何れか一項に記載の採光窓枠構造。
【請求項６】
前記下横枠、前記左縦枠、前記右縦枠及び前記上横枠が、板金により形成されている請求項１から５の何れか一項に記載の採光窓枠構造。
【請求項７】
前記採光材が、光透過性の樹脂により形成されている請求項１から６の何れか一項に記載の採光窓枠構造。
【請求項８】
下横枠及び上横枠を、離間させて建物の躯体に配置し、
第１縦枠を配置する建物の躯体の部分に、建物の躯体と前記第１縦枠との間をシールする第１の縦枠シール材を配置し、
前記第１縦枠を、前記下横枠における一方の端の上に重ねて且つ前記上横枠における一方の端の下に重ねて、前記第１の縦枠シール材を介して建物の躯体に配置し、
第２縦枠を配置する建物の躯体の部分に、建物の躯体と前記第２縦枠との間をシールする第２の縦枠シール材を配置し、
前記第２縦枠を、前記下横枠における他方の端の上に重ねて且つ前記上横枠における他方の端の下に重ねて、前記第２の縦枠シール材を介して建物の躯体に配置する、
段階を有することを特徴とする採光窓枠構造の施工方法。
【請求項９】
前記上横枠を建物の躯体に配置する段階の後に、
外壁材と前記上横枠との間をシールする横枠シール材を、外壁材が重ねられる前記上横材の部分に配置する段階を有する請求項８に記載の採光窓枠構造の施工方法。
【請求項１０】
採光材を、前記上横枠、前記第１縦枠、及び前記下横枠によりなる三方枠、又は、前記上横枠、前記第１縦枠、前記第２縦枠及び前記下横枠よりなる窓枠、に嵌め込む段階を有する請求項８又は９に記載の採光窓枠構造の施工方法。
【請求項１１】
前記採光材を、前記三方枠又は前記窓枠に嵌め込む段階の前に、
前記採光材を支持する支持部を建物の躯体に配置する段階を有する請求項１０に記載の採光窓枠構造の施工方法。
【請求項１２】
前記採光材を前記三方枠又は前記窓枠に嵌め込んだ後に、前記採光材を支える押し縁を前記窓枠の下端に配置する段階を有する請求項１１に記載の採光窓枠構造の施工方法。
【発明の詳細な説明】
【技術分野】
【０００１】
本発明は、採光窓枠構造及びその施工方法に関する。
【背景技術】
【０００２】
従来、建物内に光を取り入れるための採光窓が、建物の壁面に設けられている。この種の採光窓は、窓枠に採光材が嵌め込まれた構造を有している。採光材としては、ガラスが用いられる場合が多い。
【０００３】
建物の壁面は、地震又は風圧により歪みが生じることがある。そのため、ガラスが採光材として用いられる窓枠には、建物の壁面に歪みが生じても、窓枠自体が変形して嵌め込まれたガラスを破損しないような強固な構造を有していることが求められる。また、割れ易いガラスを嵌め込むので、窓枠には、高い寸法精度が求められる。
【０００４】
例えば、特許文献１には、採光材としてガラスが用いられる採光材窓枠構造が開示されている。この採光材窓枠構造では、採光材が嵌め込まれる窓枠が鉄骨により構成されている。
【０００５】
【特許文献１】特開２００３−３７５８号公報
【発明の開示】
【発明が解決しようとする課題】
【０００６】
上述したように、ガラスが採光材として嵌め込まれる窓枠構造は、強固で寸法精度の高いことが求められるので、製造コストが高くなる。また、割れ易いガラスを嵌め込むので、ガラスを安定に保持する必要があるため窓枠の構造が複雑となり、製造コストを一層高める要因になっている。
【０００７】
また、上述したような強固で寸法精度の高い窓枠構造は、重量が重く、施工が容易でないので、施工コストが高くなる場合がある。
【０００８】
そこで、本発明は、上述した課題を解決するために、採光窓枠構造及びその施工方法を提供することを目的とする。また、本発明は、製造コストが低い採光窓枠構造を提供することを目的とする。また、本発明は、施工が容易な採光窓枠構造を提供することを目的とする。また、本発明は、施工が容易な採光窓枠構造の施工方法を提供することを目的とする。また、本発明は、施工コストが低い採光窓枠構造の施工方法を提供することを目的とする。
【課題を解決するための手段】
【０００９】
上記目的を達成するために、本発明に係る採光窓枠構造は、建物の躯体に配置された下横枠と、上記下横枠の左端の上に重ねて配置された左縦枠と、上記下横枠の右端の上に重ねて配置された右縦枠と、上記左縦枠と上記右縦枠の上端の上に重ねて配置された上横枠と、上記下横枠、上記左縦枠、上記右縦枠及び上記上横枠によって構成される窓枠内に嵌め込まれた採光材と、建物の躯体と上記左縦枠及び上記右縦枠との間をシールする縦枠シール材と、を有し、上記下横枠、上記左縦枠、上記右縦枠及び上記上横枠は、全て建物の躯体の一方の側に配置されていることを特徴とする。
【００１０】
また、上記目的を達成するために、本発明に係る採光窓枠構造の施工方法は、下横枠及び上横枠を、離間させて建物の躯体に配置し、第１縦枠を配置する建物の躯体の部分に、建物の躯体と上記第１縦枠との間をシールする第１の縦枠シール材を配置し、上記第１縦枠を、上記下横枠における一方の端の上に重ねて且つ上記上横枠における一方の端の下に重ねて、上記第１の縦枠シール材を介して建物の躯体に配置し、第２縦枠を配置する建物の躯体の部分に、建物の躯体と上記第２縦枠との間をシールする第２の縦枠シール材を配置し、上記第２縦枠を、上記下横枠における他方の端の上に重ねて且つ上記上横枠における他方の端の下に重ねて、上記第２の縦枠シール材を介して建物の躯体に配置する、段階を有することを特徴とする。
【発明の効果】
【００１１】
上述した本発明に係る採光窓枠構造によれば、製造コストが低く、その施工が容易である。また、上述した本発明に係る採光窓枠構造の施工方法によれば、その施工が容易であり、施工コストが低い。
【発明を実施するための最良の形態】
【００１２】
以下、本発明の採光窓枠構造を、その好ましい一実施形態に基づいて、図１〜７を参照しながら説明する。ここで、図１は、本発明に係る採光窓枠構造の一実施形態を示す斜視図である。図２Ａは、図１の採光窓枠構造から外壁材を取り除いた状態を示す正面図である。図２Ｂは、図１の採光窓枠構造における支持部材を示す図である。
【００１３】
本実施形態の採光窓枠構造１０は、図１に示すように、採光材１１Ａ〜１１Ｆが嵌め込まれた窓枠１２と、該窓枠１２の周囲に配置された外壁材１５Ａ〜１５Ｅとを有している。また、採光窓枠構造１０は、図２Ａ及び図２Ｂに示すように、窓枠１２が取り付けられる、建物の躯体からなる矩形枠１３を有している。
【００１４】
本実施形態の採光窓枠構造１０は、外壁材として、窓枠１２の左方上側から真上に亘って位置する左方上側外壁材１５Ａ、窓枠１２の右方上側に位置する右方上側外壁材１５Ｂ、窓枠１２の下側に位置する下側外壁材１５Ｃ、窓枠１２の左側に位置する左側外壁材１５Ｄ、及び窓枠１２の右側に位置する右側外壁材１５Ｅを有している。
【００１５】
上記外壁材１５Ａ〜１５Ｅは、図１に示すように、凹凸形状を有しており、建物の躯体に、ビス等の公知の方法により取り付けられている。なお、採光窓枠構造１０は、図１に示す外壁材１５Ａ〜１５Ｅに加えて、その周囲に更に他の外壁材が配置されていても良い。
【００１６】
本実施形態の採光窓枠構造１０における窓枠１２は、左右が対称の構成を有している。本明細書において、窓枠１２における左右の内の一方の構成要素に対して行った説明は、他方の構成要素に対しても適宜適用される。
【００１７】
採光窓枠構造１０では、図２Ｂに示すように、建物の躯体からなる矩形枠１３は、矩形の開口部１３Ｅを有している。建物の躯体は、採光窓枠構造１０が設置される建物の骨組みである。なお、この建物の躯体は、胴縁等の建物の主要鉄骨を利用しても良い。矩形枠１３は、図２Ｂに示すように、上辺１３Ａ、下辺１３Ｂ、左辺１３Ｃ及び右辺１３Ｄを有している。上辺１３Ａ及び下辺１３Ｂは横長であり、左辺１３Ｃ及び右辺１３Ｄは縦長である。矩形枠１３を形成する上辺１３Ａ、下辺１３Ｂ、左辺１３Ｃ及び右辺１３Ｄそれぞれは、公知の材料を用いて形成することができるが、本実施形態では、Ｃ型鋼により形成されている。
【００１８】
採光窓枠構造１０の窓枠１２は、開口部１３Ｅの縁に沿って、矩形枠１３の一方の側に取り付けられている。ここで、矩形枠１３の一方の側は、該矩形枠１３の面方向に対して垂直な方向であって、採光窓枠構造１０が建物に設置された際に建物の外側に位置する側である。
【００１９】
窓枠１２は、図２Ａに示すように、建物の躯体からなる矩形枠１３に配置された下水切りとしての下横枠１２Ｂ、この下横枠１２Ｂの左端の上に重ねて配置された左縦枠１２Ｃ、下横枠１２Ｂの右端の上に重ねて配置された右縦枠１２Ｄ、左縦枠１２Ｃと右縦枠１２Ｄの上端の上に重ねて配置された上水切りとしての上横枠１２Ａと、を有している。図２Ａに示すように、窓枠１２を形成する上横枠１２Ａ及び下横枠１２Ｂは横長であり、左縦枠１２Ｃ及び右縦枠１２Ｄは縦長である。
【００２０】
更に説明すると、窓枠１２において、左縦枠１２Ｃは下横枠１２Ｂにおける長手方向の左端の上に重なって配置されており、右縦枠１２Ｄは下横枠１２Ｂにおける長手方向の右端の上に重なって配置されている。
【００２１】
また、上横枠１２Ａにおける長手方向の両端は、左縦枠１２Ｃ及び右縦枠１２Ｄそれぞれの長手方向の上端の上に重なって配置されている。具体的に、上横枠１２Ａにおける長手方向の右端が、右縦枠１２Ｄにおける長手方向の上端の上に重なって配置されている様子を図３に示す。
【００２２】
上横枠１２Ａは、その長手方向を上辺１３Ａの長手方向と一致させて、上辺１３Ａに取り付けられて配置されている。上横枠１２Ａを、上辺１３Ａに取り付ける方法としては、公知の方法を用いることができるが、本実施形態では、ビスを用いて取り付けている。他の枠についても同様である。下横枠１２Ａは、その長手方向を下辺１３Ｂの長手方向と一致させて、下辺１３Ｂに取り付けられて配置されている。
【００２３】
また、左縦枠１２Ｃは、その長手方向を左辺１３Ｃの長手方向と一致させて、左辺１３Ｃに取り付けられて配置されている。右縦枠１２Ｄは、その長手方向を右辺１３Ｄの長手方向と一致させて、右辺１３Ｄに取り付けられて配置されている。
【００２４】
上述したように、窓枠１２を構成する上横枠１２Ａ、下横枠１２Ｂ、左縦枠１２Ｃ及び右縦枠１２Ｄは、全て建物の躯体からなる矩形枠１３の一方の側に配置されている。
【００２５】
本実施形態では、窓枠１２を構成する上横枠１２Ａ、下横枠１２Ｂ、左縦枠１２Ｃ及び右縦枠１２Ｄは、全て板金により形成されている。これら、上横枠１２Ａ、下横枠１２Ｂ、左縦枠１２Ｃ及び右縦枠１２Ｄは、例えば、板金プレス加工を用いて形成することができる。上横枠１２Ａ、下横枠１２Ｂ、左縦枠１２Ｃ及び右縦枠１２Ｄの形成材料としては、例えば、アルミ、伸銅、ステンレス又は鋼等の金属を用いることができる。
【００２６】
また、本実施形態の採光窓枠構造１０は、上横枠１２Ａ、下横枠１２Ｂ、左縦枠１２Ｃ及び右縦枠１２Ｄによって構成される窓枠１２内に嵌め込まれた採光材を有している。この窓枠１２に嵌め込まれている採光材１１Ａ〜１１Ｆは、光透過性の樹脂により形成されている。
【００２７】
本実施形態の採光窓枠構造１０について、更に以下に説明する。採光窓枠構造１０では、右方上側外壁材１５Ｂの左端の下部が、横長の上横枠１２Ａにおける長手方向の右端の上に重なって配置されており、この右方上側外壁材１５Ｂと、上横枠１２Ａの上記右端との間をシールする横枠シール材１６を有している。この横枠シール材１６は気水密性を発現する。同様に、左方上側外壁材１５Ａの右端の下部が、上横枠１２Ａにおける長手方向の左端の上に重なって配置されており、外壁材１５Ａと、上横枠１２Ａの上記左端との間に横枠シール材１６（図示せず）が配置されている。
【００２８】
具体的に説明すると、横枠シール材１６は、図３に示すように、矩形形状を有し、上横枠１２Ａの右端の上に配置されている。この上横枠１２Ａは、図３及び図４に示すように、上横枠水平部１２Ａｃと、この上横枠水平部１２Ａｃにおける長手方向の一方の側縁に立設された上横枠立ち上がり部１２Ａａと、上横枠水平部１２Ａｃにおける長手方向の他方の側縁に垂設された上横枠立ち下がり部１２Ａｂとを有している。上記横枠シール材１６は、上横枠１２Ａの右端における上横枠立ち上がり部１２Ａａの上に配置されている。
【００２９】
なお、図３では、説明を分り易くするために、右方上側外壁材１５Ｂを含むいくつかの構成要素を、全部又は一部取り除いた状態を示している。
【００３０】
上記横枠シール材１６は、図４に示すように、右方上側外壁材１５Ｂと、上横枠立ち上がり部１２Ａａとの間に配置されている。横枠シール材１６は、上横枠水平部１２Ａｃと密着して配置されることが、右方上側外壁材１５Ｂの下部からの雨水等の浸入を防止して、採光窓枠構造１０の気水密性を高める上で好ましい。
【００３１】
このように、本実施形態の採光窓枠構造１０では、横枠シール材１６が、上横枠１２Ａにおける長手方向の左端及び右端それぞれに配置されている。それぞれの横枠シール材１６は、左方上側外壁材１５Ａ又は右方上側外壁材１５Ｂの内側に侵入した雨水等が、上横枠１２Ａの長手方向の両端から採光窓枠構造１０の内部に侵入することを防止する。横枠シール材１６は、防水テープ又はコーキング材等を用いて形成することができる。
【００３２】
また、本実施形態の採光窓枠構造１０は、建物の躯体からなる矩形枠１３と左縦枠１２Ｃ及び右縦枠１２Ｄそれぞれとの間をシールする縦枠シール材１７を有している。この縦枠シール材１７は気水密性を発現する。具体的には、縦枠シール材１７が、左縦枠１２Ｃの長手方向の全体に亘って、左縦枠１２Ｃと矩形枠１３との間に配置されている。同様に、別の縦枠シール材１７が、右縦枠１２Ｄの長手方向の全体に亘って、右縦枠１２Ｄと矩形枠１３との間に配置されている。
【００３３】
具体的に説明すると、縦枠シール材１７は、図３、図５Ａ及び図５Ｂに示すように、縦長であり、右辺１３Ｄの長手方向全体に亘って、右縦枠１２Ｄと右辺１３Ｄとの間に配置されている。この右縦枠１２Ｄは、図５Ａに示すように、右縦枠本体部１２Ｄｃと、この右縦枠本体部１２Ｄｃにおける長手方向の一方の側縁に立設された右縦枠第１立設部１２Ｄａと、右縦枠本体部１２Ａｃにおける長手方向の他方の側縁に立設された右縦枠第２立設部１２Ｄｂとを有している。そして、縦枠シール材１７は、右縦枠１２Ｄにおける右縦枠第１立設部１２Ｄａと右辺１３Ｄとの間に配置されている。左縦枠１２Ｃも、同様に、左縦枠本体部と、左縦枠第１立設部と、左縦枠第２立設部とを有しており、別の縦枠シール材１７が、上記左縦枠第１立設部と左辺１３Ｃとの間に配置されている。
【００３４】
なお、図５Ａでは、説明を分り易くするために、右側外壁材１５Ｅを含むいくつかの構成要素を、全部又は一部取り除いた状態を示している。
【００３５】
縦枠シール材１７の長手方向の上端は、図３及び図５Ｂに示すように、右横枠１２Ｄの上端縁から延出して配置されている。また、縦枠シール材１７の長手方向の下端は、右辺１３Ｄの下端縁から延出していて、下辺１３Ｂと右縦枠第１立設部１２Ｄａとの間に配置されている。また、縦枠シール材１７は、図３及び図５Ａに示すように、右縦枠第１立設部１２Ｄａにおける長手方向の右側の側縁から延出して配置されている。
【００３６】
また、右枠１２Ｄの長手方向の下端が、外壁材の上にまで配置されている場合には、縦枠シール材１７を、上記外壁材と右縦枠第１立設部１２Ｄａとの間に配置しても良い。
【００３７】
縦枠シール材１７は、右方上側外壁材１５Ｂ又は右側外壁材１５Ｅの内側に侵入した雨水等が、右縦枠第１立設部１２Ｄａにおける長手方向の右側の側縁及び上下の端縁から、採光窓枠構造１０の内部に侵入することを防止する。縦枠シール材１７は、防水テープ又はコーキング材等を用いて形成することができる。
【００３８】
また、本実施形態の採光窓枠構造１０における矩形枠１３には、図２Ｂに示すように、建物の躯体からなる矩形枠１３に配置されて、採光材１１Ａ〜１１Ｆを支持する支持部１４を有している。支持部１４は、窓枠１２に嵌め込まれた採光材１１Ａ〜１１Ｆを、矩形枠１３の他方の側から支持する働きを有している。ここで、他方の側は、上記一方の側の反対側を意味する。
【００３９】
矩形枠１３において、上辺１３Ａ及び下辺１３Ｂそれぞれには、複数の支持部１４が間隔を開け、取り付けられて配置されている。上辺１３Ａに配置された支持部１４は、下辺１３Ｂに配置された支持部１４と対向している。また、左辺１３Ｃ及び右辺１３Ｄそれぞれの長手方向の中央部には、１つの支持部１４が配置されている。支持部１４を矩形枠に取り付ける方法としては、公知の手法を用いることができるが、本実施形態では、ビスを用いて取り付けている。
【００４０】
本実施形態の支持部１４は、縦長の形状を有しており、その長手方向と直交する方向の断面は、図６に示すようにＬ字形状を有する。支持部１４は、１枚の縦長矩形の板金を、幅方向の中心線で９０度に折曲した形状を有している。支持部１４は、例えば、板金プレス加工を用いて形成できる。
【００４１】
また、本実施形態の採光窓枠構造１０では、雨水等が採光窓枠構造１０の内部に侵入することを防止するため、特に下記の構成を有している。即ち、左縦枠１２Ｃは、下側外壁材１５Ｃの上端の上に重ねて、且つ上横枠１２Ａにおける長手方向の左端の下に重ねて配置されている。また、左側外壁材１５Ｄは、左縦枠１２Ｃの上記左縦枠第１立設部、及び下側外壁材１５Ｃの上端の上に重ねて配置されている。また、左方上側外壁材１５Ａは、上横枠１２Ａにおける長手方向の左端の上に重ねて、且つ、左側外壁材の上端の上に重ねて配置されている。また、右縦枠１２Ｄは、下側外壁材１５Ｃの上端の上に重ねて、且つ上横枠１２Ａにおける長手方向の右端の下に重ねて配置されている。また、右側外壁材１５Ｅは、右縦枠１２Ｄの右縦枠第１立設部１２Ｄａ、及び下側外壁材１５Ｃの上端の上に重ねて配置されている。また、右方上側外壁材１５Ｂは、上横枠１２Ａにおける長手方向の右端の上に重ねて、且つ、左方上側外壁材１５Ａの右端及び右側外壁材１５Ｅの上端の上に重ねて配置されている。また、下側外壁材１５Ｃの上端の上には、後述する下枠２２が重ねられて配置されている。
【００４２】
次ぎに、採光窓枠構造１０の窓枠１２について、更に以下に説明する。図６に、図２ＡのＹ−Ｙ線端面図を示す。図６は、矩形枠１３の上辺１３Ａ及び下辺１３Ｂに対向して配置された一対の支持部１４を含んだ位置における端面図である。なお、図６には、説明を分り易くするために、下側外壁材１５Ｃを含むいくつかの構成要素について、全部又は一部取り除いた状態を示している。
【００４３】
上辺１３Ａには、上横枠１２Ａ及び支持部１４それぞれがビス１８を用いて取り付けられている。採光材１１Ｃの上端は、上横枠１２Ａの上横枠立ち下がり部１２Ａｂと、支持部１４とに挟まれて保持されている。
【００４４】
下辺１３Ｂには、下横枠１２Ｂ及び支持部１４それぞれがビス１８を用いて取り付けられている。この下横枠１２Ｂは、図６に示すように、下横枠水平部１２Ｂｃと、この下横枠水平部１２Ｂｃにおける長手方向の一方の側縁に立設された下横枠立ち上がり部１２Ｂａと、下横枠水平部１２Ｂｃにおける長手方向の他方の側縁に垂設された下横枠立ち下がり部１２Ｂｂとを有している。
【００４５】
そして、この下横枠立ち下がり部１２Ｂｂには、押し縁２０がビス１８を用いて取り付けられている。押し縁２０は、横長であり、図１に示すように、下横枠１２Ｂにおける長手方向の全体に亘って、下横枠１２Ｂに取り付けられている。採光材１１Ａ〜１１Ｆの下端は、この押し縁２０と、支持部１４とに挟まれて保持されている。
【００４６】
採光材１１Ａ〜１１Ｆと上横枠１２Ａの上横枠立ち下がり部１２Ａｂとの間には、図６に示すように、バックアップ材１９Ａ及びコーキング材１９Ｂからなるシール部が形成されている。同様に、採光材１１Ａ〜１１Ｆと押し縁２０との間には、バックアップ材１９Ａ及びコーキング材１９Ｂからなるシール部が形成されている。これらのシール部は、窓枠１２の開口縁と採光材１１Ａ〜１１Ｆとの間に形成される四周シール部の上辺部分及び下辺部分を構成する。上記四周シール部は気水密性を有しており、雨水等が、窓枠１２と採光材１１Ａ〜１１Ｆとの間から、採光窓枠構造１０の内部に侵入することを防止する。
【００４７】
また、採光材１１Ａ〜１１Ｆと下横枠水平部１２Ｂｃとの間には、図６に示すように、セッティングブロック１８が配置されていて、採光材１１Ａ〜１１Ｆの下端と下横枠水平部１２Ｂｃとが離間している。セッティングブロック２１は、下横枠水平部１２Ｂｃの長手方向に間隔をあけて複数配置されている。
【００４８】
例えば、採光材１１Ａ〜１１Ｆの室内側の表面に結露が発生し、この結露が水滴となって、下横枠水平部１２Ｂｃの上に落下してきた場合には、この水滴は、下横枠水平部１２Ｂｃに設けられた水抜き孔２４を通って、窓枠１２の外に排出するようになされている。複数の水抜き孔２４が、下横枠水平部１２Ｂｃにはその長手方向に間隔をあけて設けられている。また、下横枠水平部１２Ｂｃは、水が上記水抜き孔２４に流れ込むような傾斜を有していることが好ましい。
【００４９】
窓枠１２の下には、図６に示すように、下枠２２が配置されている。下枠２２は、ビス１８を用いて下辺１３Ｂに取り付けられている。下枠２２は、横長であり、下横枠１２Ｂの長手方向の全体に亘って、下横枠１２Ｂの下に配置されている。下枠２２と下横枠１２Ｂとの間には、バックアップ材２３Ａ及びコーキング材２３Ｂからなるシール部が配置されており、雨水等が、窓枠１２の下側から採光窓枠構造１０の内部に侵入することを防止する。下枠２２は、例えば板金プレス加工を用いて形成することができる。なお、図２Ａには、説明を分り易くするため、下枠２２、バックアップ材２３Ａ及びコーキング材２３Ｂは示していない。
【００５０】
下側外壁材１５Ｃの上端の部分は、下枠２２と下辺１３Ｂとにより形成される凹部に配置される。そして、下側外壁材１５Ｃの上端の上には、下枠２２が重ねられて配置される。
【００５１】
更に、図７を参照して、窓枠１２の説明を以下に行う。図７は、図１のＸ−Ｘ線端面の一部を示す図である。右辺１３Ｄには、右縦枠１２Ｄ及び支持部１４それぞれがビス１８を用いて取り付けられている。採光材１１Ｆにおける長手方向の右側の側部は、右縦枠１２Ｄの右縦枠第２立設部１２Ｄｂと支持部１４とに挟まれて保持されている。採光材１１Ａにおける長手方向の左側の側部も、同様に、左縦枠１２Ｃと支持部１４とにより保持されている。
【００５２】
採光材１１Ｆと右縦枠第２立設部１２Ｄｂとの間には、図７に示すように、バックアップ材１９Ａ及びコーキング材１９Ｂからなるシール部が形成されている。採光材１１Ａと左縦枠１２Ｃとの間にも、同様にシール部が形成されている。これらのシール部は、上記四周シール部の右辺部分及び左辺部分を構成する。
【００５３】
また、図７に示すように、右辺１３Ｄには、右側外壁材１５Ｅがビス１８を用いて取り付けられている。右側外壁材１５Ｅにおける長手方向の左側の側部は、右縦枠１２Ｄの右縦枠第１立設部１２Ｄａの上に重ねて配置されている。そして、右側外壁材１５Ｅにおける長手方向の左側の側部と、右縦枠１２Ｄの右縦枠本体部１２Ｄｃとの間には、断面が三角形状を有するシール部２５が配置されている。シール部２５は、右縦枠１２Ｄと右側外壁材１５Ｅとが重なっている部分の長手方向の全体に亘って形成されている。シール部２５は、コーキング材のみ、又はバックアップ材及びコーキング材を用いて形成しても良い。
【００５４】
右側外壁材１５Ｅは、図７に示すように、ビス１８を用いて、その右隣りの外壁材と共に、上記躯体に取り付けられている。
【００５５】
本実施形態の採光窓枠構造１０に嵌め込まれる採光材１１Ａ〜１１Ｆは、図１に示すように、縦長矩形の板形状を有している。また、採光材１１Ａ〜１１Ｆは、図７に示すように、その断面構造が、２つの面材、及びこれらの面材を連結する複数のリブとから構成されている。採光材１１Ａ〜１１Ｆは、２つの上記面材と上記リブとで囲まれた多数の中空部を有しており、高い剛性及び断熱性を有している。
【００５６】
採光材１１Ｅにおける長手方向の右側の側部には、図７に示すように、嵌合凸部Ｐが設けられている。また、採光材１１Ｆにおける長手方向の左側の側部には、嵌合凹部Ｑが設けられている。そして、採光材１１Ｅの嵌合凸部Ｐが光材１１Ｆの嵌合凹部Ｑに嵌合して、採光材１１Ｅと採光材１１Ｆとが結合されている。他の採光材同士も同様にして結合されている。
【００５７】
また、上横枠１２Ａにおける長手方向の両端部では、採光材１１Ａ及び１１Ｆとの間がコーキング材によってシールされており、雨水等が上記両端部から採光窓枠構造１０の内部へ侵入することを防止している。同様に、下横枠１２Ｂにおける長手方向の両端部では、採光材１１Ａ及び１１Ｆとの間がコーキング材によってシールされており、雨水等が上記両端部から採光窓枠構造１０の内部へ侵入することを防止している。
【００５８】
上記採光材１１Ａ〜１１Ｆを形成する材料としては、ポリカーボネート樹脂、アクリル樹脂、ポリエステル樹脂、ポリ塩化ビニル樹脂、及びこれらの樹脂にガラス繊維を含有させた強化樹脂等の光透過性の合成樹脂を用いることができる。
【００５９】
上述した本実施形態の採光窓枠構造１０によれば、採光材１１Ａ〜１１Ｆが嵌め込まれた板金からなる窓枠１２が、矩形枠１３における一方の側に取付けられた構成を有しており、製造コストが低く、その施工が容易である。また、高い気水密性を有しているので、外部から雨水等が採光窓枠構造１０の内部に侵入することを確実に防止する。
【００６０】
特に、樹脂により形成された採光材が嵌め込まれた本実施形態の採光窓枠構造１０は、以下に述べる効果を有する。まず、樹脂により形成される採光材は、採光材自身が変形可能であるので、板金により形成された窓枠が変形しても、採光材がその変形に追従して、採光材が窓枠の変形によって破損することはない。また、樹脂により形成された採光材は軽いので、施工が容易となり、施工コストを一層低減できる、この効果は、建物の高所に採光窓枠構造を設置する際に、特に顕著となる。
【００６１】
また、採光窓枠構造１０の寸法は、建物の設計により小さいものから大きなものまで、適宜設計され得る。本実施形態の採光窓枠構造１０は、建物の躯体からなる矩形枠１３における上記一方の側に、板金により形成された窓枠１２を取り付けて構成されるので、必要とされる採光窓枠構造の寸法に応じて、容易に作製することができる。
【００６２】
次に、上述した本実施態様の採光窓枠構造１０の施工方法の好ましい一実施態様を、図面を用いて以下に説明する。
【００６３】
まず、図８に示すように、建物の躯体からなり、上辺１３Ａ、下辺１３Ｂ、左辺１３Ｃ及び右辺１３Ｄを有する矩形枠１３を用意する。次に、採光材を支持する複数の支持部１４を、ビス等の公知の取り付け方法を用いて、矩形枠１３の開口部１３Ｅの縁に取り付けて配置する。
【００６４】
次に、下側外壁材１５Ｃを、建物の躯体における矩形枠１３の下側の部分に取り付けて配置する。図８に示す例では、一枚の下側外壁材１５Ｃを用いているが、下側外壁材１５Ｃは、これよりも幅の狭い複数の外壁材により構成されていても良い。更に、下枠２２を、下側外壁材１５Ｃの上端の上に重なるように、下辺１３Ｂに取り付ける。
【００６５】
次に、図９に示すように、下水切りとしての下横枠１２Ｂを、下側外壁材１５Ｃの上端の上に重ねて、矩形枠１３における一方の側の下辺１３Ｂに取り付けて配置する。
【００６６】
更に、上水切りとしての上横枠１２Ａを、下横枠１２Ｂと平行に離間させて、矩形枠１３における上記一方の側の上辺１３Ａに取り付けて配置する。なお、上横枠１２Ａは、下横枠１２Ｂを矩形枠１３に配置する前に取り付けても良い。
【００６７】
次に、図１０に示すように、第１縦枠としての左縦枠１２Ｃを配置する建物の躯体の部分に、建物の躯体と左縦枠１２Ｃとの間をシールする第１の縦枠シール材１７を配置する。具体的には、縦枠シール材１７としての防水テープを、左辺１３Ｃの長手方向の全体に亘って、上記一方の側に貼り付ける。ここで、縦枠シール材１７は、左辺１３Ｃにおける長手方向の上下端縁それぞれから延出するように貼り付ける。
【００６８】
次に、図１１に示すように、左縦枠１２Ｃを、下側外壁材１５Ｃの上端及び下横枠１２Ｂにおける長手方向の左端の上に重ねて、且つ上横枠１２Ａにおける長手方向の左端の下に重ねて、第１の縦枠シール材１７を介して矩形枠１３における上記一方の側の左辺１３Ｃに取り付けて配置する。
【００６９】
次に、図１２に示すように、左側外壁材１５Ｄを、左縦枠１２Ｃの上記左縦枠第１立設部、及び下側外壁材１５Ｃの上端の上に重ねて、建物の躯体における矩形枠１３の左側の部分に取り付ける。
【００７０】
更に、左方上側外壁材１５Ａと上横枠１２Ａとの間をシールする第１の横枠シール材１６としての防止テープを、左方上側外壁材１５Ａが重ねられる上横枠１２Ａの部分に貼り付けて配置する。具体的には、第１の横枠シール材１６を、上横枠１２Ａにおける長手方向の左端の上横枠立ち上がり部１２Ａａの上に貼り付ける。
【００７１】
次に、図１３に示すように、左方上側外壁材１５Ａを、第１の横枠シール材１６を介して上横枠１２Ａにおける長手方向の左端の上に重ねて、且つ、左側外壁材１５Ｄの上端の上に重ねて、上記躯体における矩形枠１３の上側の部分に取り付ける。図１３に示す例では、左方上側外壁材１５Ａを、窓枠１２の左方上側から真上に亘って配置している。また、図１３に示す例では、一枚の左方上側外壁材１５Ａを用いているが、左方上側外壁材１５Ａは、これよりも幅の狭い複数の外壁材により構成されていても良い。
【００７２】
次に、図１４及び図１５に示すように、採光材１１Ａから採光枠１１Ｆを、上横枠１２Ａ、左縦枠１２Ｃ、及び下横枠１２Ｂによりなる三方枠に、矩形枠１３における上記一方の側から順次嵌め込む。または、各採光材を、右縦枠１２Ｄが取り付けられていない上記三方枠の右側の開放部から、順次嵌め込んでも良い。そして、各採光材同士は、嵌合凸部Ｐと嵌合凹部Ｑを嵌合させて結合する。
【００７３】
次に、図１６に示すように、第２縦枠としての右縦枠１２Ｄを配置する建物の躯体の部分に、建物の躯体と右縦枠１２Ｄとの間をシールする第２の縦枠シール材１７を配置する。具体的には、縦枠シール材１７としての防水テープを、右辺１３Ｄの長手方向の全体に亘って、上記一方の側に貼り付ける。ここで、縦枠シール材１７は、右辺１３Ｄにおける長手方向の上下端縁それぞれから延出するように貼り付ける。
【００７４】
次に、図１７に示すように、右縦枠１２Ｄを、下側外壁材１５Ｃの上端及び下横枠１２Ｂにおける長手方向の右端の上に重ねて、且つ上横枠１２Ａにおける長手方向の右端の下に重ねて、縦枠シール材１７を介して矩形枠１３における上記一方の側の右辺１３Ｄに取り付けて配置する。
【００７５】
次に、図１８に示すように、右側外壁材１５Ｅを、右縦枠１２Ｄの右縦枠第１立設部１２Ｄａ、及び下側外壁材１５Ｃの上端の上に重ねて、建物の躯体における矩形枠１３の右側の部分に取り付ける。
【００７６】
更に、右方上側外壁材１５Ｂと上横枠１２Ａとの間をシールする第２の横枠シール材１６としての防止テープを、右方上側外壁材１５Ｂが重ねられる上横枠１２Ａの部分に貼り付けて配置する。具体的には、第２の横枠シール材１６を、上横枠１２Ａにおける長手方向の右端の上横枠立ち上がり部１２Ａａの上に貼り付ける。
【００７７】
次に、右方上側外壁材１５Ｂを、第２の横枠シール材１６を介して上横枠１２Ａにおける長手方向の右端の上に重ねて、且つ、左方上側外壁材１５Ａの右端及び右側外壁材１５Ｅの上端の上に重ねて、建物の躯体における矩形枠１３の右方上側の部分に取り付ける。
【００７８】
次ぎに、採光材１１Ａ〜１１Ｂを支える押し縁２０を窓枠１２の下端の下横枠１２Ｂに取り付けて配置する。
【００７９】
更に、採光窓枠構造に気水密性を付与するための所定のシール部を、所定の位置に設けて、図１に示す採光窓枠構造１０を得る。
【００８０】
上述した本実施態様の採光窓枠構造の施工方法によれば、その施工が容易であり、施工コストが低い。特に、本実施態様は、樹脂により形成された採光材を用い、建物の高所において、採光窓枠構造の施工を行う際に、施工が容易であるので、安全性に優れる。
【００８１】
本発明の採光窓枠構造及びその施工方法は、上述した実施形態又は実施態様に制限されることなく、本発明の趣旨を逸脱しない限り適宜変更が可能である。
【００８２】
例えば、横枠シール材１６は、図２０に示すように、上横枠１２Ａにおける長手方向の右端の端縁から延出して配置されていても良い。
【００８３】
また、縦枠シール材１７は、図２１に示すように、右縦枠１２Ｄの右縦枠第１立設部１２Ｄａにおける一方の側から他方の側まで跨って配置されていても良い。この場合、縦枠シール材１７の一部分は、右側外壁材１５Ｅと右縦枠第１立設部１２Ｄａとの間のシール部を形成していても良い。
【００８４】
また、上述した実施形態では、窓枠１２は金属により形成されていた。この金属としては、例えばメッキ鋼板を用いることができる。また、窓枠１２は、塩化ビニル、ＦＥＰ、ＡＳ等の樹脂により形成されていても良い。
【００８５】
また、上述した実施形態では、採光材１１Ａ〜１１Ｆは樹脂により形成されていたが、採光材はガラスにより形成されていても良い。
【００８６】
また、上述した実施態様において、支持部１４を最初に矩形枠１３に配置していたが、採光材１１Ａ〜１１Ｆを上記三方枠又は窓枠１２に嵌め込む前に、支持部１４を矩形枠１３に配置していれば良い。
【００８７】
また、上述した実施態様において、採光材１１Ａ〜１１Ｆを上記三方枠に嵌め込んでいたが、上横枠１２Ａ、左縦枠１２Ｃ、右縦枠１２Ｄ及び下横枠１２Ｂよりなる窓枠１２を構成した後に、採光材１１Ａ〜１１Ｆを窓枠１２に嵌め込んでも良い。
【００８８】
また、上述した実施態様では、左縦枠１２Ｃを矩形枠１３に配置した後に、右縦枠１２Ｄを矩形枠１３に配置していたが、右縦枠１２Ｄを矩形枠１３に配置した後に、左縦枠１２Ｃを矩形枠１３に配置しても良い。
【００８９】
また、横枠シール材１６を、外壁材が重ねられる上横材１２Ａの部分に配置する段階は、上記外壁材が重ねられる前であれば、上述した実施態様とは異なっていても良い。
【００９０】
また、押し縁２０を、窓枠１２の下端に配置する段階は、採光材１１Ａ〜１１Ｆを上記三方枠又は窓枠１２に嵌め込んだ後であれば、上述した実施態様とは異なっていても良い。この場合、上記三方枠を形成した後に、押し縁２０を下横枠１２Ｂに取り付けて、該三方枠の開放側から、採光材１１Ａ〜１１Ｆを順次嵌め込んでも良い。
【図面の簡単な説明】
【００９１】
【図１】本発明に係る採光窓枠構造の一実施形態を示す斜視図である。
【図２Ａ】図１の採光窓枠構造から外壁材を取り除いた状態を示す正面図である。
【図２Ｂ】図１の採光窓枠構造における支持部材を示す図である。
【図３】図１の採光窓枠構造の要部を示す図である。
【図４】図３における横枠シール材の配置を説明する模式図である。
【図５Ａ】図１の採光窓枠構造の他の要部を示す図である。
【図５Ｂ】図３及び図５Ａにおける縦枠シール材の配置を説明する模式図である。
【図６】図２ＡのＹ−Ｙ線端面図である。
【図７】図１のＸ−Ｘ線端面の一部を示す図である。
【図８】本発明に係る採光窓枠構造の施工方法の一実施態様を説明する図である。
【図９】図８の実施態様の次の段階を示す図である。
【図１０】図９の実施態様の次の段階を示す図である。
【図１１】図１０の実施態様の次の段階を示す図である。
【図１２】図１１の実施態様の次の段階を示す図である。
【図１３】図１２の実施態様の次の段階を示す図である。
【図１４】図１３の実施態様の次の段階を示す図である。
【図１５】図１４の実施態様の次の段階を示す図である。
【図１６】図１５の実施態様の次の段階を示す図である。
【図１７】図１６の実施態様の次の段階を示す図である。
【図１８】図１７の実施態様の次の段階を示す図である。
【図１９】図１８の実施態様の次の段階を示す図である。
【図２０】図１の実施形態の変形例を示す図である。
【図２１】図１の実施形態の他の変形例を示す図である。
【符号の説明】
【００９２】
１０    採光窓枠構造
１１Ａ    採光材
１１Ｂ    採光材
１１Ｃ    採光材
１１Ｄ    採光材
１１Ｅ    採光材
１１Ｆ    採光材
１２    窓枠
１２Ａ    上横枠
１２Ｂ    下横枠
１２Ｃ    左縦枠
１２Ｄ    右縦枠
１３    矩形枠
１３Ａ    上辺
１３Ｂ    下辺
１３Ｃ    左辺
１３Ｄ    右辺
１３Ｅ    開口部
１４    支持部
１５Ａ    左方上側外壁材
１５Ｂ    右方上側外壁材
１５Ｃ    下側外壁材
１５Ｄ    左側外壁材
１５Ｅ    右側外壁材
１６    横枠シール材
１７    縦枠シール材
１８    ビス
１９Ａ    バックアップ材
１９Ｂ    コーキング材
２０    押し縁
２１    セッティングブロック
２２    下横枠
２３Ａ    バックアップ材
２３Ｂ    コーキング材
２４    水抜き孔
２５    シール部
Ｐ    嵌合凸部
Ｑ    嵌合凹部
【図１】
0005052392.tif 000002
【図２Ａ】
0005052392.tif 000003
【図２Ｂ】
0005052392.tif 000004
【図３】
0005052392.tif 000005
【図４】
0005052392.tif 000006
【図５Ａ】
0005052392.tif 000007
【図５Ｂ】
0005052392.tif 000008
【図６】
0005052392.tif 000009
【図７】
0005052392.tif 000010
【図８】
0005052392.tif 000011
【図９】
0005052392.tif 000012
【図１０】
0005052392.tif 000013
【図１１】
0005052392.tif 000014
【図１２】
0005052392.tif 000015
【図１３】
0005052392.tif 000016
【図１４】
0005052392.tif 000017
【図１５】
0005052392.tif 000018
【図１６】
0005052392.tif 000019
【図１７】
0005052392.tif 000020
【図１８】
0005052392.tif 000021
【図１９】
0005052392.tif 000022
【図２０】
0005052392.tif 000023
【図２１】
0005052392.tif 000024